(57)【特許請求の範囲】
【請求項１】
ベース上に設置した熱伝導板の表面上にペットが乗るスペースを設け、熱伝導板に電子冷却ユニットを設け、電子冷却ユニットに放熱フィン、放熱フィンに送風する送風ファンを設けた小動物用冷房装置において、熱伝導板をＬ字形に形成し、この熱伝導板の立ち上がり壁に電子冷却ユニットを設け、この立ち上がり壁と平行に放熱フィン、送風ファンを配置し、送風ファンの下部のベースに排気口を設け、送風ファンから放熱フィンに通した排熱を排気口からベースの底面側に形成した通気路に流すようにして成ることを特徴とする小動物用冷房装置。
【請求項２】
ベースの底面の通気路に送風ファンにより送られる排熱を通気路に誘導するガイドリブを設けたことを特徴とする請求項１記載の小動物用冷房装置。
【請求項３】
ベースの底面の通気路に送風ファンにより送られる排熱を通気路に誘導する誘導カバーを設けたことを特徴とする請求項１記載の小動物用冷房装置。
【発明の詳細な説明】
【０００１】
【発明の属する技術分野】
本発明は小動物を冷房する小動物用冷房装置に関し、詳しくは小動物用冷房装置の結露を防止する構造に関するものである。
【０００２】
【従来の技術】
近年、電子冷却ユニットを使用した小動物用冷暖房装置としては種々のものが提案されている。例えば特開平９−２７５８３８号公報に開示されるものは、加熱冷却プレートの下部（裏面）に電子冷却部材や放熱板やヒータやファンが配置され、加熱冷却プレートの上に乗せたペットの冷暖房をするようにしてある。
【０００３】
【発明が解決しようとする課題】
ところが、上記従来例のように加熱冷却プレートの下部に冷却や加熱用の部品を配置すると、ペットが乗る加熱冷却プレートの上面が床面よりかなり高くなってしまい、ペットが乗り降りしにくい、またペットが怖がって乗らないという問題がある。
【０００４】
またペットが乗る面を下げる方法としては実開平５−７０６８号公報に開示されるものが提案されている。かかるものは冷却板をＬ字形に構成し、冷却板の垂直部に冷却装置を取り付けてある。かかるものではペットが乗る面を下げることができるが、このようにペットの乗る面を下げると、冷却板とケースの底面との間の断熱材が薄くなり、十分な断熱効果が得られないために使用中に底面の表面温度も下がり、底面が結露して床面を濡らしてしまうという問題がある。
【０００５】
本発明は上記の点に鑑みてなされたものであり、ペットが乗る面を低くできると共にペットが乗る面を低くしても底面が結露しない小動物用冷房装置を提供することを課題とするものである。
【０００６】
【課題を解決するための手段】
上記課題を解決するために本発明の請求項１の小動物用冷房装置は、ベース１上に設置した熱伝導板２の表面上にペットが乗るスペース３を設け、熱伝導板２に電子冷却ユニット４を設け、電子冷却ユニット４に放熱フィン５、放熱フィン５に送風する送風ファン６を設けた小動物用冷房装置において、送風ファン６から放熱フィン５に通した排熱をベース１の底面側に形成した通気路７に流すようにして成ることを特徴とする。送風ファン６から放熱フィン５を通した排熱をベース１の底面側に形成した通気路７に流すことによりベース１の底面を温めることができ、ペットが乗る面を低くしても底面に結露するのを防止できる。
【０００７】
また、熱伝導板２をＬ字形に形成し、この熱伝導板２の立ち上がり壁２ａに電子冷却ユニット４を設け、この立ち上がり壁２ａと平行に放熱フィン５、送風ファン６を配置し、送風ファン６の下部のベース１に排気口８を設けたことを特徴とする。ペットが乗る面より上部に電子冷却ユニット４や送風ファン６を配置したことにより、ペットが乗る面を低くでき、ペットが乗り降りしやすくなると共にペットが怖がらない。また送風ファン６から送風を放熱フィン５に通すと共に放熱フィン５を通った排熱を排気口８から通気路７にスムーズに流すことができ、ベース１の底面を効果的に温めてベース１の底面に結露するのを防止できる。
【０００８】
また本発明の請求項２の小動物用冷房装置は、請求項１において、ベース１の底面の通気路７に送風ファン６により送られる排熱を通気路７に誘導するガイドリブ９を設けたことを特徴とする。排熱をガイドリブ９にて通気路７にスムーズに導くことができ、ベース１の底面の結露を一層確実に防止することができる。
【０００９】
また本発明の請求項３の小動物用冷房装置は、請求項１において、ベース１の底面の通気路７に送風ファン６により送られる排熱を通気路７に誘導する誘導カバー１０を設けたことを特徴とする。排熱を誘導カバー１０にて通気路７に導くことができ、ベース１の底面の結露を一層確実に防止することができる。
【００１０】
【発明の実施の形態】
図１乃至図４に示すように平板状のベース１の上には熱伝導板２を設置してあるが、この熱伝導板２の端はＬ字形に曲げて立ち上がり壁２ａを設けてあり、この立ち上がり壁２ａの裏面には電子冷却ユニット４としてのペルチェユニット４ａを装着してある。本例のペルチェユニット４ａは冷却機能以外に加熱機能も有している。この熱伝導板２の表面部がペットの乗る面となっており、ペルチェユニット４ａの冷却や加熱の熱が熱伝導板２から伝わり、ペットの乗る面が温まったり冷えたりするようになっている。熱伝導板２には無駄な放熱を防ぐために断熱材１１が装着されている。本例の場合、熱伝導板２のペットの乗る面の裏面側に断熱材１１ａが配置され、立ち上がり壁２ａのペルチェユニット４ａと反対の表面側に断熱材１１ｂが配置されている。ペルチェユニット４ａには立ち上がり壁２ａと平行になるように放熱フィン５が付いており、これを空冷するための送風ファン６がペルチェユニット４ａの横に立ち上がり壁２ａと平行になるように配置されている。上記のような構成でペルチェユニット４ａの熱を熱伝導板２に伝熱し、熱伝導板２上のスペース３に乗ったペットの冷房や暖房ができるが、ペットが乗る面を低くできてペットが乗り降りしやすくなると共にペットが怖がらない。
【００１１】
ペルチェユニット４ａや送風ファン６はカバー体１２で覆われているが、このカバー体１２はペットが乗ったとき枕となるように略半円形状の外観をしている。このようになっていることでカバー体１２がペットの眠るときの快適な枕部となる。またこのカバー体１２のペットが乗る側の面にはグルーミング用の突起１３が設けられている。この突起１３の代わりに爪研ぎ用のやすり等を設けてもよい。上記のようにグルーミング用の突起１３や爪研ぎ用のやすりを設けたことによりペットが好んで乗ると共にペットが乗っても飽きない。またペットが乗る面のペルチェユニット４ａの近傍の面に熱伝導板２を段落としした凹段部１４を設けてあり、この凹段部１４にカバー体１２の延長部１２ａを収めてある。このように凹段部１４にカバー体１２の延長部１２ａを収めることにより冷暖房するとき一番高温になったり、一番低温になったりする面の温度を和らげることができ、ペットの皮膚の裂傷を防止することができる。
【００１２】
断熱材１１やペルチェユニット４ａが取り付けられた熱伝導板２はベース１に取り付けられ、さらにこのブロックにカバー体１２が取り付けられる構造となっているが、ペットが乗る面はベース１と熱伝導板２とカバー体１２とが同一平面に構成され、さらにそれに亙って保護シート１５が貼られている。この保護シート１５はベース１と熱伝導板２とカバー体１２との各隙間を埋める役割と、熱伝導板２とペットが直接触れることによるペットの皮膚の裂傷を防ぐ役目とを有している。熱伝導板２はペルチェユニット４ａの冷却や加熱の熱を効率よくペットが乗る面に伝える必要があるためにアルミニウム等の熱伝導率の優れた材料でできており、そのためにこのような皮膚の裂傷防止対策が必要となるわけである。送風ファン６の脇には給排気口が設けられており、その部分には着脱自在なフィルター１６が取り付けられている。このように着脱自在なフィルター１６を設けるとフィルター１６の掃除がしやすい。
【００１３】
ペルチェユニット４ａの横にはメイン回路１７が配置され、その反対側にはスイッチ回路１８が配置され、このスイッチ回路１８には表示ランブ１９や冷切暖切り換えスイッチ２０やモード切り換えスイッチ２１があり、カバー体１２の表面側から認識或いは操作できるようになっている。図９はその回路を示し、２２は電源、２３は電源回路である。冷切暖切り換えスイッチ２０はペルチェユニット４ａや送風ファン６への通電をオン、オフしたり、ペルチェユニット４ａへの極性を切り換えたり、電源がオンかオフか冷却か暖房かを選択するものである。モード切り換え２１はペルチェユニット４ａや送風ファン６への電圧を調整し、ペットが乗る面の温度レベルを調整するものである。ベース１の側面から電源コード２４を導出してある。
【００１４】
ベース１の底には床の傷付き防止と防振のためにゴム脚２５を取り付けてある。またベース１の底にゴム脚２５を取り付けることによりベース１の底面を床に対して浮かしてベース１の底面の下に通気路７を形成するようになっている。またベース１には送風ファン６と対応する位置で上下に貫通するように排気口８を設けてあり、送風ファン６から送風された風を通気路７に通気することができるようになっている。かかる排気口８は図５に示すように多数個の穴を列設して形成されている。排気口８の近傍でベース１の底面には排気口８から出た風をガイドするガイドリブ９を設けてある。つまり、図５に示すように一対のガイドリブ９がハ字状になるように設けてある。しかして排気口８から出た風がガイドリブ９にて誘導されて矢印Ａのように風が流れる。ペットの冷房をするときペルチェユニット４ａからの伝熱にて図５の符号Ｂに示す部分が冷却されて結露を発生するおそれがあるが、放熱フィン５の排熱が排気口８から通気路７に流れることによりこの部分が温められ、結露を発生することがない。
【００１６】
また上記例ではベース１の底面にガイドリブ９を一体に設けて通気路７に排熱の風を誘導するものについて述べたが、図６、図７に示すようにベース１の底面に別体の誘導カバー１０を取り付けて通気路７に風を誘導するようにしてもよい。つまり、排気口８の下方に略台形状の誘導カバー１０を取り付けることでベース１の底面と誘導カバー１０の間に風路を形成してある。この場合も、排気口８から出た風が誘導カバー１０にて誘導されて矢印Ａのように風が流れる。そしてペットの冷房をするときペルチェユニット４ａからの伝熱にて図７の符号Ｂに示す部分が冷却されて結露を発生するおそれがあるが、放熱フィン５の排熱が排気口８から通気路７に流れることによりこの部分が温められ、結露を発生することがない。
【００１７】
【発明の効果】
本発明の請求項１の発明は、ベース上に設置した熱伝導板の表面上にペットが乗るスペースを設け、熱伝導板に電子冷却ユニットを設け、電子冷却ユニットに放熱フィン、放熱フィンに送風する送風ファンを設けた小動物冷房装置において、送風ファンから放熱フィンに通した排熱をベースの底面側に形成した通気路に流すようにしたので、送風ファンから放熱フィンを通した排熱をベースの底面側に形成した通気路に流すことによりベースの底面を温めることができ、ペットが乗る面を低くしても底面に結露するのを防止できるものである。
【００１８】
また本発明の請求項１の発明は、熱伝導板をＬ字形に形成し、この熱伝導板の立ち上がり壁に電子冷却ユニットを設け、この立ち上がり壁と平行に放熱フィン、送風ファンを配置し、送風ファンの下部のベースに排気口を設けたものであって、ペットが乗る面より上部に電子冷却ユニットや送風ファンを配置したことにより、ペットが乗る面を低くでき、ペットが乗り降りしやすくなると共にペットが怖がらないものであり、また送風ファンから送風を放熱フィンに通すと共に放熱フィンを通った排熱を排気口から通気路にスムーズに流すことができ、ベースの底面を効果的に温めてベースの底面に結露するのを防止できるものである。
【００１９】
また本発明の請求項２の発明は、請求項１において、ベースの底面の通気路に送風ファンにより送られる排熱を通気路に誘導するガイドリブを設けたので、排熱をガイドリブにて通気路にスムーズに導くことができ、ベースの底面の結露を一層確実に防止することができるものである。
【００２０】
また本発明の請求項３の発明は、請求項１において、ベースの底面の通気路に送風ファンにより送られる排熱を通気路に誘導する誘導カバーを設けたので、排熱を誘導カバーにて通気路に導くことができ、ベースの底面の結露を一層確実に防止することができるものである。
【図面の簡単な説明】
【図１】  本発明の実施の形態の一例を示し、図２のＡ−Ａ線で切断した断面図である。
【図２】  同上の平面図である。
【図３】  図２のＢ−Ｂ線で切断した断面図である。
【図４】  同上の一部分解斜視図である。
【図５】  同上の底面図である。
【図６】  同上の他の例の断面図である。
【図７】  同上の底面図である。
【図８】  同上の回路図である。
【符号の説明】
１  ベース
２  熱伝導板
２ａ  立ち上がり壁
３  スペース
４  電子冷却ユニット
５  放熱フィン
６  送風ファン
７  通気路
８  排気口
９  ガイドリブ
１０  誘導カバー
【図１】
0003791219.tif 000002
【図２】
0003791219.tif 000003
【図３】
0003791219.tif 000004
【図４】
0003791219.tif 000005
【図５】
0003791219.tif 000006
【図６】
0003791219.tif 000007
【図７】
0003791219.tif 000008
【図８】
0003791219.tif 000009